(57)【特許請求の範囲】
【請求項１】
洋風便器本体の後部上面に固定され、機能装置が組み付けられたベースプレートと、該ベースプレートに固定され、該機能装置を収納するケーシングとを備えた便器装置において、
前記ベースプレートは、後端部に形成され、前記洋風便器本体に固定される固定部を有し、
前記ケーシングは、該洋風便器本体の後部側面に連続するように形成された側面と、該側面に形成され、該固定部を臨む開口部と、該開口部の左右両側に形成され、縦方向に延び、下方に向かって徐々に幅の狭まるスリットを有する係合部とを有し、
該ケーシングに取り付けられた際に該側面と面一をなし、該固定部を隠蔽しつつ該開口部を塞ぎ、左右端辺の内側に形成され、前記スリットに係止する係止爪を有しているカバーを備えていることを特徴とする便器装置。
【請求項２】
洋風便器本体の後部上面に固定され、機能装置が組み付けられたベースプレートと、該ベースプレートに固定され、該機能装置を収納するケーシングとを備えた便器装置において、
前記ベースプレートは、左右後端部の２か所に形成され、前記洋風便器本体に固定される固定部を有し、
前記ケーシングは、該洋風便器本体の後部側面に連続するように形成された側面と、前記固定部に対応して前記ケーシングの側面の左右後部の２か所に設けられ、該固定部を臨む開口部とを有し、
該ケーシングに取り付けられた際に該側面と面一をなし、該固定部を隠蔽しつつ該開口部を塞ぐ２つのカバーを備えていることを特徴とする便器装置。
【発明の詳細な説明】
【技術分野】
【０００１】
本発明は便器装置に関する。
【背景技術】
【０００２】
特許文献１に従来の便器装置が開示されている。この便器装置は、洋風便器本体と、洋風便器本体の後部上面に固定され、機能装置が組み付けられたベースプレートと、ベースプレートに固定され、機能装置を収納するケーシングとを備えている。この便器装置は、ベースプレートがケーシングの下端後方から延出し、この部分に便器本体との取付部が形成されている。また、この取付部を覆うカバーが着脱自在に取り付けられている。このため、取付部のボルト等を隠し、見かけの良いものにすることができる。
【０００３】
【特許文献１】特開２００３−１０５８３４号公報
【発明の開示】
【発明が解決しようとする課題】
【０００４】
しかし、上記従来の便器装置では、ケーシングの背面にカバーが突出状態で取り付けられるため、デザイン性を損なう。また、ケーシングの背面が凹凸形状になるため、付着した汚れの拭き取り等がし難く、掃除が困難である。
【０００５】
本発明は、上記従来の実情に鑑みてなされたものであって、すっきりとした形状で容易に掃除をすることができる便器装置を提供することを解決すべき課題としている。
【課題を解決するための手段】
【０００６】
本発明の便器装置は、洋風便器本体の後部上面に固定され、機能装置が組み付けられたベースプレートと、該ベースプレートに固定され、該機能装置を収納するケーシングとを備えた便器装置において、
前記ベースプレートは、後端部に形成され、前記洋風便器本体に固定される固定部を有し、
前記ケーシングは、該洋風便器本体の後部側面に連続するように形成された側面と、該側面に形成され、該固定部を臨む開口部と、該開口部の左右両側に形成され、縦方向に延び、下方に向かって徐々に幅の狭まるスリットを有する係合部とを有し、
該ケーシングに取り付けられた際に該側面と面一をなし、該固定部を隠蔽しつつ該開口部を塞ぎ、左右端辺の内側に形成され、前記スリットに係止する係止爪を有しているカバーを備えていることを特徴とする。
【０００７】
この便器装置では、便器施工者等がケーシングの開口部からボルト等によりベースプレートの固定部を洋風便器本体に固定することができる。このようにして、ベースプレートが洋風便器本体の後部上面に固定されると、その後、ケーシングには、カバーが固定部を隠蔽しつつ開口部を塞ぐように取り付けられる。また、取り付けられたカバーは側面と面一となり、ケーシングの側面には凹凸が生じない。
【０００８】
したがって、本発明の便器装置は、すっきりとした形状で容易に掃除をすることができる。
【０００９】
ケーシングは、開口部の左右両側に形成され、縦方向に延び、下方に向かって徐々に幅の狭まるスリットを有する係合部を有し、カバーは、左右端辺の内側に形成され、スリットに係止する係止爪を有している。この場合、カバーに設けられた係止爪をケーシングのスリットに挿入し、カバーを下降させると係止爪がスリットの縁部に係止するため、カバーを容易にケーシングに取り付けることができる。また、スリットは下方に向かって徐々に幅が狭められているため、カバーを下降させるとカバーは左右のどちらか一方に移動する。このため、ケーシングとの隙間がなく、適切な位置にカバーを取り付けることができる。
【００１０】
本発明の他の便器装置は、洋風便器本体の後部上面に固定され、機能装置が組み付けられたベースプレートと、該ベースプレートに固定され、該機能装置を収納するケーシングとを備えた便器装置において、
前記ベースプレートは、左右後端部の２か所に形成され、前記洋風便器本体に固定される固定部を有し、
前記ケーシングは、該洋風便器本体の後部側面に連続するように形成された側面と、前記固定部に対応して前記ケーシングの側面の左右後部の２か所に設けられ、該固定部を臨む開口部とを有し、
該ケーシングに取り付けられた際に該側面と面一をなし、該固定部を隠蔽しつつ該開口部を塞ぐ２つのカバーを備えていることを特徴とする。この場合、開口部を小さくすることができ、ケーシングの強度を一定以上に保つことができる。また、カバーの大型化が避けられ、ケーシングへの取り付けを容易に行うことができる。
【発明を実施するための最良の形態】
【００１１】
以下、本発明を具体化した実施例を図面を参照しつつ説明する。
【実施例１】
【００１２】
図１及び図２に示すように、実施例１の便器装置は、洋風便器本体１の後部上面に固定され、給水管３１が接続された便器洗浄装置３０等の機能装置が組み付けられたベースプレート１０を備えている。ベースプレート１０には、機能装置を収納するケーシング２０が図示しないビスにより固定されている。機能装置は、便器洗浄装置３０の他に、図示しないが、スピーカー３２が接続された音楽再生装置、便座・便蓋開閉装置、人体検知装置、局部洗浄装置、温風乾燥装置、脱臭装置、部屋暖房装置、空気清浄装置等から構成されている。便器洗浄装置３０は、人体検知装置の人体検知により駆動され、洋風便器本体１の便鉢に洗浄水を供給することができる。また、使用者が洗浄スイッチ９０を操作することによっても便器洗浄装置３０を駆動することができる。
【００１３】
ベースプレート１０の左右後端部には、ボルトＢが貫通する長孔１２が設けられた固定部１１が形成されている。ボルトＢが長孔１２を貫通し、洋風便器本体１に設けられたネジ穴２にねじ込まれることにより、ケーシング２０が固定されたベースプレート１０は洋風便器本体１に固定される。
【００１４】
ケーシング２０は、洋風便器本体１の後部側面に連続するように形成された後方視で左右側面２２、２１と、左右側面２２、２１に連続する背面２３とを有している。また、ケーシング２０は、左右側面２２、２１と背面２３との上端に連続する上面２４を有している。ケーシング２０の上面２４の前端部には、便蓋８０及び、図示しないが、便蓋８０の下方に位置する便座が回動可能に支持されている。
【００１５】
背面２３の左右端部には、ベースプレート１０の左右後端部に設けられた固定部１１を臨む開口部４２、４１が形成されている。このように開口部４２、４１を分けて形成し、中間に背面２３を有するため、ケーシング２０の強度を一定以上に保つことができる。ケーシング２０の上面２４には、開口部４１、４２に連続する開口部が形成されている。
【００１６】
右側後部に設けられた開口部４１は、固定部１１の他に便器洗浄装置３０、スピーカー３２、部屋暖房装置の温風吹き出し経路３３が臨むように形成されている。一方、左側後部に設けられた開口部４２は、固定部１１の他にスピーカー３２、部屋暖房装置の温風吹き出し経路３３が臨むように形成されている。このため、右側の開口部４１の方が、左側の開口部４２よりも大きい。
【００１７】
右側の開口部４１の右側端の内側には、縦方向に延びるスリット６１Ｓを有する係合部６１が設けられている。スリット６１Ｓは、右縁部が下方に向かって徐々に左縁部に近づいて幅が狭まるように形成されている。係合部６１には、下側にスピーカー３２が取り付けられ、上側に温風吹き出し経路３３が接続されている。また、開口部４１の左側端の内側には、スリット６１Ｓと同じ形状のスリット６２Ｓが縦に２個配置された係合部６２が形成されている。
【００１８】
左側の開口部４２の左側端の内側には、縦方向に延びるスリット６４Ｓを有する係合部６４が設けられている。スリット６４Ｓは、左縁部が下方に向かって徐々に右縁部に近づいて幅が狭まるように形成されている。係合部６４には、下側にスピーカー３２が取り付けられ、上側に温風吹き出し経路３３が接続されている。また、開口部４２の右側端の内側には、スリット６４Ｓと同じ形状のスリット６３Ｓが縦に２個配列された係合部６３が形成されている。
【００１９】
ケーシング２０には、左右開口部４２、４１を塞ぐように、カバー５２、５１が取り付けられる。カバー５２、５１を二つに分けたことにより、カバーの大型化が避けられ、ケーシング２０への取り付けを容易に行うことができる。また、ケーシング２０の上面２４には、上面カバー７０が固定される。ケーシング２０の右側後部に取り付けられるカバー５１には、ケーシング２０に設けられた各係合部６１、６２のスリット６１Ｓ、６２Ｓに対応する位置に係合爪５１Ａ、５１Ｂが設けられている。また、カバー５１には、縦方向に延びるルーバーを有する温風吹き出し口５３が形成され、この温風吹き出し口５３が形成されたカバー５１の内側には、温風吹き出し経路３３に連通する連通路５３Ｒが形成されている。また、カバー５１には、スピーカー３２からの音が通過するように複数の小孔からなるスピーカー口５４が形成され、このスピーカー口５４が形成されたカバー５１の内側には、スピーカー３２に連通する音通路５４Ｒが形成されている。
【００２０】
ケーシング２０の左側後部に取り付けられるカバー５２にも、ケーシング２０に設けられた各係合部６４、６３のスリット６４Ｓ、６３Ｓに対応する位置に係合爪５２Ａ、５２Ｂが設けられている。また、カバー５２には、カバー５１と同様の温風吹き出し口５５、温風吹き出し口５５と温風吹き出し経路３３とを連通する連通路、スピーカー口５６及びスピーカー口５６とスピーカー３２とを連通する音通路が形成されている。
【００２１】
このように構成された便器装置は、以下に示すように、洋風便器本体１に取付けられる。
【００２２】
まず、便器装置を洋風便器本体１の後部上面の所定の位置に載置する。この際、上面カバー７０及びカバー５１、５２は、未だケーシング２０に取り付けられていない。その後、図示しないケーシング２０の前部に設けられた貫通孔を通じて挿入されたボルトによりベースプレート１０の前部を洋風便器本体１の上面に固定する。ケーシング２０に設けられた貫通孔は、その後、着脱自在のキャップにより塞がれる。
【００２３】
次に、開口部４１、４２からボルトＢを固定部１１に設けられた長孔１２に挿入し、洋風便器本体１のネジ穴２にねじ込むことにより、ベースプレート１０の左右後端部に設けられた固定部１１を洋風便器本体１に固定する。
【００２４】
次に、図３及び図４に示すように、カバー５１、５２が固定部１１を隠蔽しつつ開口部４１、４２を塞ぐようにケーシング２０に取り付けられる。カバー５１を取り付ける際には、係止爪５１Ａ、５１Ｂをスリット６１Ｓ、６２Ｓに挿入し、カバー５１を下降させて係止爪５１Ａ、５１Ｂをスリット６１Ｓ、６２Ｓの下縁部に係止させる。このようにすると、図５（Ａ）、（Ｂ）に示すように、係止爪５１Ｂ（５１Ａ）がスリット６２Ｓ（６１Ｓ）の右縁部の傾斜面６２Ｒに案内されるため、カバー５１は下降するとともに、左側に移動する。このため、カバー５１は、背面２３との間に隙間なく、適切な位置に取り付けられる。
【００２５】
また、カバー５２を取り付ける際には、係止爪５２Ａ、５２Ｂをスリット６４Ｓ、６３Ｓに挿入し、カバー５２を下降させて係止爪５２Ａ、５２Ｂをスリット６４Ｓ、６３Ｓの下縁部に係止させる。このようにすると、係止爪５２Ａ、５２Ｂがスリット６４Ｓ、６４Ｓの左縁部の傾斜面に案内されるため、カバー５２は下降するとともに、右側に移動する。このため、カバー５２は、背面２３との間に隙間なく、適切な位置に取り付けられる。ケーシング２０にカバー５１、５２が取り付けられた後、ケーシング２０の上面２４に上面カバー７０が固定される。
【００２６】
このようにして便器装置が洋風便器本体１の後部上面に固定されると、カバー５１、５２により、開口部４１、４２が塞がれる。このため、ベースプレート１０の左右後端部に設けられた固定部１１は隠蔽される。また、ケーシング２０にカバー５１が取り付けられた状態では、ケーシング２０の右側面２１とカバー５１の右側端面は面一となり、背面２３とカバー５１の左側端面は面一となる。また、ケーシング２０にカバー５２が取り付けられた状態では、ケーシング２０の左側面２２とカバー５２の左側端面は面一となり、背面２３とカバー５２の右側端面は面一となる。このため、ケーシング２０の側面は凹凸が生じない。
【００２７】
したがって、実施例１の便器装置は、すっきりとした形状で容易に掃除をすることができる。
【００２８】
以上において、本発明を実施例１に即して説明したが本発明は上記実施例に制限されるものではなく、その趣旨を逸脱しない範囲で適宜変更して適用できることはいうまでもない。
【００２９】
例えば、ベースプレート１０の後端部に形成される固定部を一か所にし、その固定部を臨む開口部をケーシング２０の側面に１つ設け、１つのカバーにより開口部を塞ぐようにしてもよい。
【００３０】
また、開口部を塞ぐカバーはビス等により固定してもよい。
【産業上の利用可能性】
【００３１】
本発明は洋風水洗式便器に利用可能である。
【図面の簡単な説明】
【００３２】
【図１】実施例１の便器装置の分解斜視図である。
【図２】実施例１の便器装置の分解背面図である。
【図３】実施例１の便器装置のケーシングとカバーとを示す分解斜視図である。
【図４】実施例１の便器装置のケーシングとカバーとを示す断面図である。
【図５】実施例１のスリットと係止爪との係止状態を示す概略図である。
【符号の説明】
【００３３】
１…洋風便器本体
１０…ベースプレート
１１…固定部
２０…ケーシング
２１、２２、２３…側面（２１…右側面、２２…左側面、２３…背面）
３０…便器洗浄装置（機能装置）
４１、４２…開口部
５１、５２…カバー
５１Ａ、５１Ｂ、５２Ａ、５２Ｂ…係止爪
６１Ｓ、６２Ｓ、６３Ｓ、６４Ｓ…スリット
６１、６２、６３、６５…係合部
【図１】
0005456258.tif 000002
【図２】
0005456258.tif 000003
【図３】
0005456258.tif 000004
【図４】
0005456258.tif 000005
【図５】
0005456258.tif 000006